(57)【要約】【課題】画像を見る者が一見して時間の経過を認識することができ、撮影当時の記憶を懐かしさとともに呼び覚ますことを可能とする。【解決手段】撮影により取得された画像情報の撮影日時と現在日時とに基づいて、当該画像情報の撮影からの経過時間を算出する経過時間算出ステップＳ３と、算出された経過時間に基づいて褪色率を算出する褪色率算出ステップＳ４と、算出された褪色率を用いて前記画像情報を褪色させる画像処理を施す画像処理ステップＳ５と、画像処理された画像情報を表示する再生ステップＳ６とを備える画像再生方法を提供する。【選択図】    図２
2008079205.tif 000002
【特許請求の範囲】
【請求項１】
撮影により取得された画像情報の撮影日時と現在日時とに基づいて、当該画像情報の撮影からの経過時間を算出する経過時間算出ステップと、
算出された経過時間に基づいて褪色率を算出する褪色率算出ステップと、
算出された褪色率を用いて前記画像情報を褪色させる画像処理を施す画像処理ステップと、
画像処理された画像情報を表示する再生ステップとを備える画像再生方法。
【請求項２】
画像処理された画像情報を表示した表示時間を計数する表示時間計数ステップと、
計数された表示時間に基づいて復元率を算出する復元率算出ステップとを備え、
前記画像処理ステップが、褪色率および復元率を用いて画像情報を褪色させる画像処理を施す請求項１に記載の画像再生方法。
【請求項３】
前記復元率は、経過時間に基づく褪色率の増加を上回るように算出される請求項２に記載の画像再生方法。
【請求項４】
前記画像処理ステップが、画像情報の彩度または明度を低下させる請求項１から請求項３のいずれかに記載の画像再生方法。
【請求項５】
撮影により取得された画像情報とともに記憶されている撮影日時を抽出する撮影日時抽出部と、
現在日時を発生させる現在日時発生部と、
抽出された撮影日時と発生された現在日時とに基づいて、経過時間を算出する経過時間算出部と、
算出された経過時間に基づいて褪色率を算出する褪色率算出部と、
算出された褪色率に基づいて画像情報を褪色処理する画像処理部と、
褪色処理された画像情報を表示する画像表示部とを備える画像再生装置。
【請求項６】
表示時間を計数する表示時間計数部を備え、
前記褪色率算出部が、経過時間と表示時間とに基づいて褪色率を算出する請求項５に記載の画像再生装置。
【請求項７】
撮影により取得された画像情報の撮影日時と現在日時とに基づいて、当該画像情報の撮影からの経過時間を算出する経過時間算出ステップと、
算出された経過時間に基づいて褪色率を算出する褪色率算出ステップと、
算出された褪色率を用いて前記画像情報を褪色させる画像処理を施す画像処理ステップと、
画像処理された画像情報を表示する再生ステップとをコンピュータにより実行するための画像再生プログラム。
【発明の詳細な説明】
【技術分野】
【０００１】
本発明は、画像再生方法、画像再生装置および画像再生プログラムに関するものである。
【背景技術】
【０００２】
従来、印画紙に焼き付けられた写真は、時間の経過とともに色褪せて、セピア色に変色していくことが知られている。このため、撮影されたばかりの新しい写真でも、セピア色に変色させることにより、時間の経過した古い画像であるかのような視覚効果を得ることができる。そして、このような視覚効果を得るために、デジタルカメラにより撮影された画像を処理し、セピア色に変色させて表示する技術は知られている（例えば、特許文献１参照および特許文献２。）。
【０００３】
【特許文献１】特開２００３−１３４５２０号公報
【特許文献２】特開２００４−３３６３８６号公報
【発明の開示】
【発明が解決しようとする課題】
【０００４】
写真は本来時間の経過とともに褪色するものであるため、セピア化された画像によって時間の経過を知ることができる。
しかしながら、特許文献１および特許文献２に示されるようにセピア化させる方法では、単に懐古調の画像が作成されるのみであり、その画像によって撮影された当時の記憶を呼び起こしたり時間の経過を再認識したりすることはできない。
【０００５】
本発明は上述した事情に鑑みてなされたものであって、画像を見る者が一見して時間の経過を認識することができ、撮影当時の記憶を懐かしさとともに呼び覚ますことを可能とする画像再生方法、画像再生装置および画像再生プログラムを提供することを目的としている。
【課題を解決するための手段】
【０００６】
上記目的を達成するために、本発明は以下の手段を提供する。
本発明は、撮影により取得された画像情報の撮影日時と現在日時とに基づいて、当該画像情報の撮影からの経過時間を算出する経過時間算出ステップと、算出された経過時間に基づいて褪色率を算出する褪色率算出ステップと、算出された褪色率を用いて前記画像情報を褪色させる画像処理を施す画像処理ステップと、画像処理された画像情報を表示する再生ステップとを備える画像再生方法を提供する。
【０００７】
本発明によれば、撮影からの経過時間が経過していればしているほど、高い褪色率で画像処理された画像が表示される。したがって、画像を見る者は、一見して時間の経過を認識することができる。また、画像の内容が、画像を見る者に関連する内容である場合には、画像を見る者は、その内容と褪色された画像の視覚効果とにより、より強い懐かしさを持って画像を見ることができる。
【０００８】
上記発明においては、画像処理された画像情報を表示した表示時間を計数する表示時間計数ステップと、計数された表示時間に基づいて復元率を算出する復元率算出ステップとを備え、前記画像処理ステップが、褪色率および復元率を用いて画像情報を褪色させる画像処理を施すこととしてもよい。
このようにすることで、表示された画像を見る内に記憶が回復されていくことに合わせて、回復される記憶とともに褪色を復元した鮮明な画像を表示することが可能となる。
【０００９】
また、上記発明においては、前記復元率は、経過時間に基づく褪色率の増加を上回るように算出されることが好ましい。
このようにすることで、褪色していくのに要する時間よりも早期に鮮明な画像を回復することができる。例えば、撮影後１０年かけて褪色した画像を１分間の表示によって復元することが可能となる。
【００１０】
また、上記発明においては、前記画像処理ステップが、画像情報の彩度または明度を低下させることとしてもよい。
彩度または明度の低下のような褪色処理により、時間の経過とともに薄らぐ記憶と合致した画像を作成することができる。
【００１１】
また、本発明は、撮影により取得された画像情報とともに記憶されている撮影日時を抽出する撮影日時抽出部と、現在日時を発生させる現在日時発生部と、抽出された撮影日時と発生された現在日時とに基づいて、経過時間を算出する経過時間算出部と、算出された経過時間に基づいて褪色率を算出する褪色率算出部と、算出された褪色率に基づいて画像情報を褪色処理する画像処理部と、褪色処理された画像情報を表示する画像表示部とを備える画像再生装置を提供する。
【００１２】
本発明によれば、撮影日時情報抽出部の作動により、画像情報とともに記憶されている撮影日時情報が抽出され、時間経過算出部の作動により、現在日時と撮影日時とから経過時間が算出される。そして、褪色率算出部により経過時間に応じた褪色率が算出されるので、画像処理部において、経過時間が長くなると大きく褪色した画像が作成される。このようにして作成された画像を画像表示部で表示することにより、画像を見る者に、一見して時間の経過を認識させることができる。また、画像の内容が、画像を見る者に関連する内容である場合には、画像を見る者が、その内容と褪色された画像の視覚効果とにより、より強い懐かしさを持って画像を見ることができる。
【００１３】
上記発明においては、表示時間を計数する表示時間計数部を備え、前記褪色率算出部が、経過時間と表示時間とに基づいて褪色率を算出することとしてもよい。
このようにすることで、表示時間計数部により計数された表示時間に応じて、画像の褪色を低下させ、鮮明な画像を表示することができる。表示時間に応じて画像を見る者の記憶が回復されていくので、それに合わせて、褪色を回復させていくことができる。
【００１４】
また、本発明は、撮影により取得された画像情報の撮影日時と現在日時とに基づいて、当該画像情報の撮影からの経過時間を算出する経過時間算出ステップと、算出された経過時間に基づいて褪色率を算出する褪色率算出ステップと、算出された褪色率を用いて前記画像情報を褪色させる画像処理を施す画像処理ステップと、画像処理された画像情報を表示する再生ステップとをコンピュータにより実行するための画像再生プログラムを提供する。
【発明の効果】
【００１５】
画像を見る者が一見して時間の経過を認識することができ、画像の内容が画像を見る者に関連している場合には、より強い懐かしさとともに、撮影当時の記憶を呼び覚ますことができるという効果がある。
【発明を実施するための最良の形態】
【００１６】
本発明の第１の実施形態に係る画像再生装置１および画像再生方法について、図１および図２を参照して以下に説明する。
本実施形態に係る画像再生装置１は、図１に示されるように、デジタルカメラのような撮影装置により撮影され、デジタルカメラ内のメモリ、ハードディスク等の記憶媒体に記憶された画像情報を読み取る情報読取部２と、読み取られた画像情報に含まれている撮影日時データを抽出する撮影日時抽出部３と、現在日時データを発生するカレンダ（現在日時発生部）４と、撮影日時データと現在日時データとに基づいて経過時間を算出する経過時間算出部５と、算出された経過時間に応じた褪色率を算出する褪色率算出部６と、該褪色率算出部６により算出された褪色率を用いて画像データを褪色処理する画像処理部７と、処理された画像データを表示するモニタ（表示部）８とを備えている。
【００１７】
画像情報における撮影日時データとしては、画像データの取得日時を示すメタデータを挙げることができる。このメタデータが画像データの編集ごとに更新される場合には、編集日時データとは別個に、更新されることのない撮影日時データをメタデータに含めて保持しておく必要がある。
【００１８】
経過時間算出部５は、現在日時を示す数値としての現在日時データから撮影日時を示す数値としての撮影日時データを減算することにより経過時間を求めるようになっている。
褪色率算出部６は、予め定めておいた関数に経過時間を代入することにより褪色率を求めるようになっている。関数としては、褪色が経過時間に比例して進行する関数を採用してもよいが、所定時間経過後はそれ以上進行しないように、飽和する関数を適用することとしてもよい。褪色率は、取得された画像データを急激にセピア色に変化させるものではなく、例えば、１０年程度の経過時間を経て、セピア色に変化していく程度の値を採用する。
【００１９】
画像処理部８による画像データの褪色処理は、例えば、特許文献１に開示されているように画像データの色相をセピア色（赤褐色）の所定の色相に設定する画像処理である。この場合において褪色率算出部６により算出された褪色率は、色差信号の値を決定するために使用される。
【００２０】
このように構成された本実施形態に係る画像再生装置１を用いた画像再生方法は、図２に示されるように、撮影され、記憶媒体に記憶されている状態の画像データを再生する際に、情報読取部２の作動により記憶媒体から画像情報を読み取り（ステップＳ１）、読み取られた画像情報から、撮影日時抽出部３の作動により撮影日時を抽出する（ステップＳ２）。
【００２１】
次いで、カレンダ４により発生した現在日時との差分を経過時間算出部５で演算することにより経過時間を算出する（ステップＳ３）。そして、褪色率算出部６が経過時間に基づいて褪色率を算出し（ステップＳ４）、算出された褪色率に基づいて画像処理部７が画像データを褪色処理する（ステップＳ５）。したがって、撮影日時から時間が経過するにつれて、再生した時点の撮影日からの経過時間が大きければ大きいほど、褪色率が高く、セピア化の度合の強い画像としてモニタ８に表示される（ステップＳ６）。
【００２２】
その結果、撮影日時から時間が経過した画像を再生すると、高い度合いでセピア化された画像が表示されるので、その画像を見る者は、一見して、撮影日から長い時間が経過した画像であることを認識することができる。そして、画像データの内容が、画像を見る者に関連する場合には、画像を見る者が、その内容と褪色された画像の視覚効果とにより、より強い懐かしさを持って画像を見ることができる。
【００２３】
なお、本実施形態においては、画像処理部７による褪色処理が、画像データの色相をセピア色に設定する処理であるとして説明したが、これに限定されるものではなく、白黒の画像データに減色していく画像処理であってもよい。
また、本実施形態においては、表示時間中も、撮影日時からの経過時間は増加していくが、褪色率が長期にわたって徐々に変化していくように設定されるものであるため、表示中に褪色の度合が変化していくのを肉眼で確認することは困難である。したがって、表示時間中の時間経過は無視することができ、表示開始時において算出した褪色率のまま変化させることなく表示し続けることとしてもよい。
【００２４】
次に、本発明の第２の実施形態に係る画像再生装置１０および画像再生方法について、図３および図４を参照して説明する。
本実施形態の説明において、上述した第１の実施形態に係る画像再生装置１０および画像再生方法と構成を共通とする箇所には同一符号を付して説明を省略する。
【００２５】
本実施形態に係る画像再生装置１０は、モニタ８への画像データの表示時間を計数するカウンタ１１を備え、該カウンタ１１により計数された表示時間に基づいて、褪色率算出部における褪色率の計算を行う点において、第１の実施形態に係る画像再生装置１とは異っている。
すなわち、本実施形態に係る画像再生装置１０の褪色率算出部１２においては、第１の実施形態における褪色率算出部６により経過時間に基づいて算出される褪色率から表示時間に基づいて算出される復元率を減算するようになっている。
【００２６】
復元率は、褪色率と比較して十分に短い時間で増大するように設定されている。例えば、褪色率が、１０年かけて１００％となる場合、例えば、復元率は、１分で１００％となるように設定されている。この場合、１０年かけて１００％褪色させられた画像データは、１分間表示することにより、褪色処理を施さない元々の鮮明な画像データに戻るようになっている。
【００２７】
このように構成された本実施形態に係る画像再生装置１０を用いた画像再生方法においては、まず、復元率が０に設定され（ステップＳ０）、撮影され記憶媒体に記憶されている画像情報が情報読取部により読み出され（ステップＳ１）、撮影日時抽出部により撮影日時が抽出される（ステップＳ２）。次いで、カレンダ４により発生した現在日時との差分が経過時間算出部５で演算されることにより経過時間が算出される（ステップＳ３）。
【００２８】
そして、褪色率算出部１２が、経過時間に基づいて褪色率を算出し（ステップＳ４）、算出された褪色率および設定された復元率に基づいて画像処理部７が画像データを褪色処理する（ステップＳ５）。再生当初は復元率が０に設定されているので、撮影日時から時間が経過するにつれて、再生した時点の撮影日からの経過時間が大きければ大きいほど、褪色率が高く、セピア化の度合の強い画像としてモニタ８に表示される（ステップＳ６）。
【００２９】
また、本実施形態においては、画像データがモニタ８に表示されている表示時間がカウンタ１１により計数される（ステップＳ７）。そして、褪色率算出部１２において、計数された表示時間に基づいて復元率が算出され（ステップＳ８）、画像処理部７において、褪色率および復元率に基づいて画像データが褪色処理され（ステップＳ５）、モニタ８に表示される（ステップＳ６）。以降、表示終了指示がなされるまでステップＳ５〜Ｓ８が繰り返される。
【００３０】
経過時間に応じて演算される褪色率の変化は、表示時間に比例して演算される復元率の変化よりも十分に小さいので、モニタ８に表示された画像データは、表示時間の経過とともに褪色の度合が減少していくようになる。
【００３１】
すなわち、再生当初にモニタ８に表示される画像は、撮影時からの経過時間に応じた褪色率で表示されるので、撮影から長い年月経過した画像は、褪色率が高くセピア化の度合の強い画像となる。したがって、その画像を見る者は、一見して、撮影日から長い時間が経過した画像であることを認識することができ、また、画像データの内容が、画像を見る者に関連する場合には、画像の内容と褪色された画像の視覚効果とにより、より強い懐かしさを持って画像を見ることができる。
【００３２】
さらに、本実施形態に係る画像再生装置１０および画像再生方法によれば、モニタ８に表示されたセピア化された画像が、表示時間の増加とともに、徐々に元の鮮明な画像に復元して表示されるようになる。ちょうど、薄れていた記憶が徐々に蘇っていくのに合わせるように、表示された画像が徐々に鮮明なカラー画像に復元していく。これにより、一気に撮影時まで記憶を遡らせるのではなく、徐々に撮影日の記憶を呼び覚まして定着させていくような視覚効果を与えることができる。
【００３３】
なお、本実施形態においては、再生の都度に、撮影日時からの経過時間に応じた褪色の度合でセピア化された画像データを表示し、表示時間に応じて元の鮮明なカラー画像を表示していくようにしたが、これに代えて、表示時間を積算して記憶しておき、次回再生時には、表示時間に基づいた復元率から画像データを再生を開始することとしてもよい。
【００３４】
また、上記各実施形態における画像再生方法は、各ステップＳ０〜Ｓ８（またはステップＳ１〜Ｓ６）をコンピュータに実行させるための画像再生プログラムにより実現することとしてもよい。すなわち、記憶媒体から画像情報を読み出し、読み出された画像情報から撮影日時を抽出し、該撮影日時と現在日時との差分により経過時間を算出し、経過時間に基づいて褪色率を算出し、算出された褪色率に基づいて画像処理部が画像データを褪色処理し、モニタに表示する各行程をコンピュータにより実行させることとしてもよい。
【図面の簡単な説明】
【００３５】
【図１】本発明の第１の実施形態に係る画像再生装置を示すブロック図である。
【図２】図１の画像再生装置を用いた画像再生方法を説明するフローチャートである。
【図３】本発明の第２の実施形態に係る画像再生装置を示すブロック図である。
【図４】図３の画像再生装置を用いた画像再生方法を説明するフローチャートである。
【符号の説明】
【００３６】
Ｓ３  経過時間算出ステップ
Ｓ４  褪色率算出ステップ
Ｓ５  褪色処理ステップ（画像処理ステップ）
Ｓ６  表示ステップ（再生ステップ）
Ｓ７  表示時間計数ステップ
Ｓ８  復元率算出ステップ
１  画像再生装置
３  撮影日時抽出部と、
４  カレンダ（現在日時発生部）
５  経過時間算出部
６，１２  褪色率算出部
７  画像処理部
８  モニタ（画像表示部）
１１  カウンタ（表示時間計数部）
【図１】
2008079205.tif 000003
【図２】
2008079205.tif 000004
【図３】
2008079205.tif 000005
【図４】
2008079205.tif 000006